(57)【特許請求の範囲】
【請求項１】
複数の活物質粒子（１）が集合した活物質粒子群の表面に、カーボン粒子またはグラファイト粒子（２）と水ガラスとからなる層を付着した鉛粉粒子（３）からなる活物質ペーストを集電体に充填したことを特徴とする鉛蓄電池用負極板
【請求項２】
前記カーボン粒子またはグラファイト粒子の粒子径が０．３〜１．０μｍであることを特徴とする請求項１記載の鉛蓄電池用負極板
【請求項３】
カーボン粒子またはグラファイト粒子を水ガラス溶液に懸濁して得たものに鉛粉を加えて練り合わせた後、乾燥して粉末を得、
次いで、該粉末に希硫酸を加えて練りあわせて活物質ペーストを作製し、
次いで、該ペーストを集電体に充填することを特徴とする、
鉛蓄電池用負極板の製造方法。
【発明の詳細な説明】
【０００１】
【発明の属する技術分野】
本発明は、通信用、非常用電源、携帯用機器などの分野に使用される鉛蓄電池に使用される負極板とその製造方法に関するものである。
【０００２】
【従来の技術】
従来の鉛蓄電池用負極板は、金属鉛粒子（鉛粉）にリグニン等を添加して活物質ペーストとし、このペーストを集電体に充填して作製される。該鉛蓄電池用負極板を用いて作製された鉛蓄電池は、長期間放置しておくと、熱サイクルによって硫酸鉛の溶解析出が繰り返され、導電性を有しない硫酸鉛の結晶が徐々に成長し、遂には充電できなくなるというサルフェーション現象が生じる。この現象は、特に密閉形鉛蓄電池に多く、短寿命の原因になっている。この対策として、従来、カーボン粉末を活物質に混合して負極板を作製していた。しかし、このような負極板を用いた鉛蓄電池は、充放電を繰り返していくうちに、徐々にその効果がなくなり、前記サルフェーション現象による短寿命を防ぐことが出来なかった。
【０００３】
【発明が解決しようとする課題】
本発明は上記問題点に鑑みてなされたものであって、その目的とするところはサルフェーション現象の起こりにくい鉛蓄電池用負極板とその製造方法を提供することにある。
【０００４】
【課題を解決するための手段】
上記目的を達成するために本発明は、活物質粒子群の表面に導電性に優れたカーボンまたはグラファイト粒子の皮膜を水ガラスでもって結着させたものであって、前記カーボンまたはグラファイト粒子の粒子径は、０．３〜１．０μｍであることが好ましい。
また、本発明の方法は、カーボン粒子またはグラファイト粒子を水ガラス溶液に懸濁して得たものに鉛粉を加えて練り合わせた後、乾燥して粉末を得、次いで、該粉末に希硫酸を加えて練りあわせて活物質ペーストを作製し、次いで、該ペーストを集電体に充填することを特徴とするものである。
【０００５】
【作用】
従来のカーボンまたはグラファイト粉末を添加した活物質ペーストの鉛粉粒子３は、図２に示すように、複数の活物質粒子１が集合した活物質粒子群にカーボンまたはグラファイト粒子２が機械的に接触しただけで、一部の前記粒子２が活物質粒子群に接触せずにいた。しかし、本発明の活物質ペーストは、図１に示すように、活物質粒子群にカーボンまたはグラファイト粒子２が水ガラスによって結着しているので、結着面での放電反応が起きにくく、周囲の硫酸鉛の結晶が粗大化するのを抑制する。また、硫酸鉛の結晶が粗大化しても結晶中にカーボンまたはグラファイト粒子２が取り込まれるので、導電性が保持される。
【０００６】
【発明の実施の形態】
以下、本発明の実施形態について説明する。
（実施形態１）
平均粒子径０．３μｍのカーボン粒子を水ガラス溶液に加え、固形分が２０〜４０％含む懸濁液を作製し、この懸濁液をカーボン粒子が鉛粉に対し２．０質量％含むように鉛粉と混合し、乾燥した。乾燥はバインダーである水ガラスの固化を確実にするために、通常より高温の２００℃で１時間行った。乾燥した鉛粉を粉末とし、これに通常の手段で水と硫酸を加えて練り合わせて活物質ペーストを得た。このペーストを集電体に充填し、熟成、乾燥工程を経て、通常の方法で化成して負極板を作製した。
【０００７】
こうして得た負極板は、図１のように、複数の活物質粒子１が集合した二次粒子群表面にカーボン粒子２が付着している。このカーボン粒子２はバインダーにより一種のネットワーク構造体を形成しているので、熱サイクルによる溶解析出によって硫酸鉛結晶粒子が粗大化しても、ネットワークは容易に破壊されず、従って導電性が失ないにくい。
【０００８】
（実施形態２および３）
平均粒子径１．０および５．０μｍのカーボン粒子をそれぞれ水ガラスに加えた他は、実施形態１と同様にして実施形態２と実施形態３の負極板を作製した。
次に、実施形態１〜３の負極板を用いてそれぞれの電池Ａ〜Ｃを組立て、放電容量試験を実施し、放電後の作用活物質中に占める硫酸鉛の割合と放電時間を調査した。試験条件は、周囲温度５０℃とし、１／１２８Ｃ（Ｃは１０時間定格容量の値）の低率放電を終止電圧が０Ｖになるまで実施して硫酸鉛の割合を調査した後、１０時間率電流で放電電気量の１．５倍に相当する電気量になるまで充電し、その後５時間率の放電容量試験を実施し、終止電圧が１．７Ｖになるまでのそれぞれの時間を測定した。その結果を表１に示す。
【０００９】
（実施形態４〜６）
平均粒子径０．３、１、５μｍのグラファイト粒子をそれぞれ水ガラスに加えた他は、実施形態１と同様にして実施形態４〜６の負極板を作製した。
次に、実施形態４〜６の負極板を用いて電池Ｄ〜Ｆを組立て、電池Ａ〜Ｃと同様の放電容量試験を実施し、硫酸鉛の割合と放電時間を調査した。その結果を表１に示す。
【００１０】
（従来形態）
平均粒子径０．３μｍのカーボン粒子を鉛粉に対して２．０質量％加えて混合し、その後、水と希硫酸を加えて混練して活物質ペーストを作製し、このペーストを実施形態１と同様な集電体に充填して従来と同じ構成の負極板を作製した。
次に、この負極板を用いて実施形態１と同様な電池Ｇを組立て、電池Ａ〜Ｆと同様の放電試験を実施し、硫酸鉛の割合と放電時間を調査した。その結果を表１に示す。
【００１１】
【表１】
0003575145.tif 000002
【００１２】
表１より本発明品は、従来品に比べ硫酸鉛の割合が少なく、放電容量が優れることがわかる。従って、本発明は従来品に比べサルフェーション現象が起こり難く、充電回復性能が優れる。
【００１３】
なお、本発明に係るカーボンまたはグラファイトの平均粒子径を０．３μｍ未満にすると、硫酸の保持性が悪くなり、ペーストの流動性が低下し、充填が困難となるので、多くのカーボンまたはグラファイトを添加できなくなり、前記平均粒子径を１．０μｍより大きくすると、放電容量が従来品と略同等になるので、平均粒子径は０．３〜１．０μｍが好ましい。また、本発明は実施形態に限定されるものではなく、電池の用途に応じて添加比率や平均粒子径は種々変更することができる。
【００１４】
【発明の効果】
上記の如く本発明によれば、
（１）硫酸鉛の溶解析出が繰り返えされても、導電性を有する硫酸鉛の結晶が粗大化するのを抑制し、サルフェーション現象による鉛蓄電池の短寿命を防止できる。
（２）また、硫酸鉛の粗大化が起こっても、活物質とカーボンまたはグラファイト層の微細ネットワークに粗大化した硫酸鉛が取り込まれるので、放電後にも活物質層ので導電性が維持され、鉛蓄電池の充電受入れ性が優れる。
【図面の簡単な説明】
【図１】本発明に係る鉛粉粒子の模式図である。
【図２】従来の鉛粉粒子の模式図である。
【符号の説明】
１  活物質粒子
２  カーボンまたはグラファイト粒子
３  鉛粉粒子
【図１】
0003575145.tif 000003
【図２】
0003575145.tif 000004